(57)【要約】      （修正有）【課題】所定粒子径範囲の微細粉塵を吸引捕集し、フィルタ交換が簡易で、捕集・測定・回収または廃棄の過程において粉塵の飛散を極力抑えることができる、粉塵捕集容器を提供する。【解決手段】粉塵捕集容器２０は、筒状でかつ一端側の開口に網４１が設けられた外側容器４０と、この外側容器４０内に配置されたフィルタ５０と、筒状でかつ両端側の開口に網６１を設けて外側容器４０内に配置される内側容器６０と、筒状でかつ一端側が外側容器４０の内部に挿入される押し込み容器７０と、を備える。【選択図】図２
2015136674.tif 000002
【特許請求の範囲】
【請求項１】
筒状でかつ一端側の開口に網が設けられた外側容器と、
当該外側容器内に配置されたフィルタと、
筒状でかつ両端側の開口に網が設けられて前記外側容器内に配置される内側容器と、
筒状でかつ一端側が前記外側容器の内部に挿入される押し込み容器と、を備えることを特徴とする粉塵捕集容器。
【請求項２】
筒状でかつ一端側の開口が網で覆われた外側容器と、
当該外側容器内に配置されたフィルタと、
筒状でかつ両端側の開口が網で覆われて前記外側容器内に挿入される内側容器と、を備える粉塵捕集ユニットを用意し、
直列に連結された複数の前記粉塵捕集ユニットと、
当該連結された複数の粉塵捕集ユニットの先端面に接続されて、筒状でかつ一端側が前記外側容器の内部に挿入される押し込み容器と、
当該連結された複数の粉塵捕集ユニットの基端面に接続されて、当該複数の粉塵捕集容器を通して空気を吸引する吸引装置と、を備え、
前記複数の粉塵捕集容器のフィルタの目開きは、先端面に向かうほど大きくなることを特徴とする粉塵捕集システム。
【請求項３】
平面上に設置されて前記粉塵捕集容器の当該平面に対する相対角度、および、前記粉塵捕集容器の先端面の当該平面からの距離を決定する位置決め装置をさらに備えることを特徴とする請求項２に記載の粉塵捕集システム。
【請求項４】
平面上の粉塵を分級して捕集する粉塵捕集方法であって、
捕集対象となる粉塵の近傍に請求項２または３に記載の粉塵捕集システムを設置する工程と、
前記粉塵捕集システムの吸引装置を駆動して、前記平面上の粉塵を捕集する工程と、
前記粉塵捕集システムの各粉塵捕集容器毎に重量を測定する工程と、を備えることを特徴とする粉塵捕集方法。
【発明の詳細な説明】
【技術分野】
【０００１】
本発明は、例えば、タイルカーペットなどの床材上の粉塵を捕集する粉塵捕集容器、粉塵捕集システム、および粉塵捕集方法に関する。
【背景技術】
【０００２】
従来より、タイルカーペット、カーペット、フローリング、畳などの床材から粉塵を捕集し、この捕集した粉塵の重量を測定することが要請されている。
【０００３】
例えば、病院施設では、床材として長尺塩ビシートが用いられることが多いが、快適性や遮音性などを重視してタイルカーペットを用いる場合がある。
タイルカーペットを用いるメリットとしては、転倒やスリップを低減できることによる安全性の向上、足音を緩和することによる静寂性の確保、柔らかな素材感や色合いなどによるリラックス感の提供などに加えて、長尺塩ビシートに比べて空気中への粉塵の再飛散量の抑制効果がある。
【０００４】
したがって、タイルカーペットが、長尺塩ビシートと比較して、粉塵の再飛散性をどの程度抑制できるかを評価する必要があり、粉塵の再飛散量を測定する代わりに、床材に残存した粉塵を捕集して、この捕集した粉塵の重量を比較することで、粉塵の再飛散性を評価することが可能となる。
【０００５】
また、公共施設をはじめ様々な場面で、容易に粉塵を清掃可能なタイルカーペットが要請されており、各種のタイルカーペットについて、粉塵清掃の容易さを評価することが必要となっている。
この場合も、これらの床材から一定の条件下で粉塵を捕集して、捕集した粉塵の重量を比較することで、粉塵清掃の容易さを評価することが可能となる。
【０００６】
また、床材を清掃する掃除機の性能を評価する場合には、同一の床材から同一の条件下で粉塵を捕集して、捕集した粉塵の重量を比較することで、掃除機の性能を評価することが可能となる。
【０００７】
ところで、材料から発生する粉塵を捕集および測定する方法として、測定装置を用いて、石綿含有材料の表面からの石綿発塵量を直接的に測定する方法が提案されている（特許文献１参照）。この測定装置は、測定対象部位の周囲を気密裡に覆うカバーと、カバー内の空気を吸引してメンブレンフィルタにより石綿塵埃を捕集する捕集機構と、カバー内の空気を吸引する吸気管と、カバー外の空気を測定対象部位に吹き付ける噴射管と、を備える。この方法によれば、吸気管に吸気ポンプを接続し、この吸気ポンプで吸引することで、噴射管を通してカバー外の空気を測定対象部位に噴射して、この空気の吹付けにより発生した粉塵をメンブレンフィルタで捕集する。そして、そのうちの石綿粉塵を測定する。したがって、吸気ポンプ程度の比較的弱い吸引力で比較的少量の粉塵を捕集できる。
【０００８】
掃除機などで強力に吸引しながら床材から粉塵を捕集し、この捕集した粉塵の重量を測定する適当な方法が存在しないが、想定される床材から粉塵を捕集する方法としては、例えば、以下のようになる。
【０００９】
まず、タイルカーペット、カーペット、フローリング、畳などに、所定量の既知の粉塵、例えばＪＩＳ試験用紛体を散布しておく。次に、捕集する粉塵の最小粒子径を考慮した目開きのフィルタを取り付けた特許文献１に示すような構造の粉塵捕集容器を用意し、この粉塵捕集容器を掃除機の先端などに取り付ける。その後、掃除機を駆動して、粉塵捕集容器を通して粉塵を強力な吸引力で吸引することで、粉塵捕集容器に粉塵を捕集する。その後、粉塵捕集容器を掃除機から取り外して、この捕集した粉塵の重量を測定する。
【先行技術文献】
【特許文献】
【００１０】
【特許文献１】特開２００９−１６２７４４号公報
【発明の概要】
【発明が解決しようとする課題】
【００１１】
しかしながら、上述の粉塵捕集方法では、掃除機による強力な吸引力を維持しながら微細な粉塵を捕集するために、圧力損失を抑えた極めて薄く目開きの小さい脆弱なフィルタを用いることになる。すると、掃除機による吸引力は極めて大きいため、フィルタの変形などによる粉塵の通過や、フィルタの強固な目詰まりが頻繁に生じるおそれがあった。
また、取り扱う粉塵には微細なものが含まれるため、捕集・測定・回収または廃棄の過程で粉塵が飛散し、吸引による健康への影響を防止するため、各過程での粉塵飛散防止の措置が必要であった。
【００１２】
本発明は、強力に吸引しながら所定粒子径範囲の微細粉塵を捕集でき、目詰まりが生じた場合には簡易にフィルタ交換ができ、捕集・測定・回収または廃棄の過程で粉塵の飛散を極力抑えることができる、粉塵捕集容器、粉塵捕集システム、および粉塵捕集方法を提供することを目的とする。
【課題を解決するための手段】
【００１３】
請求項１に記載の粉塵捕集容器（例えば、後述の粉塵捕集容器２０、２０Ａ、２０Ｂ）は、筒状でかつ一端側の開口に網（例えば、後述の網４１）が設けられた外側容器（例えば、後述の外側容器４０）と、当該外側容器内に配置されたフィルタ（例えば、後述のフィルタ５０）と、筒状でかつ両端側の開口に網（例えば、後述の網６１、６２）が設けられて前記外側容器内に配置される内側容器（例えば、後述の内側容器６０）と、筒状でかつ一端側が前記外側容器の内部に挿入される押し込み容器（例えば、後述の押し込み容器７０）と、を備えることを特徴とする。
【００１４】
この発明によれば、フィルタは、外側容器の底板により支持されて、内側容器の底板で押さえ固定されるため、フィルタにかかる負担を大幅に低減でき、変形を抑制できる。また、所定範囲の粒子径の粉塵、つまり、粒子径が内側容器の網の目開きよりも小さくフィルタの目開きよりも大きい粉塵が、内側容器の網とフィルタとの間の空間（内側容器の底をフィルタで塞いで形成される内側容器内空間）内に捕集できる。したがって、強力に吸引しながら所定粒子径範囲の微細粉塵を捕集できる。
【００１５】
このとき、外側容器および内側容器の網の網目を粗くしておくことで、吸引力に対する抵抗を小さくし、粉塵の吸引力の低下を極力減らすことができる。
【００１６】
また、フィルタが目詰まりを起こした場合には、押し込み容器を、外側容器に接続したり、外側容器から取り外したりするだけで、フィルタを容易に着脱できる。よって、目詰まりが生じた場合には簡易にフィルタを交換できる。
【００１７】
また、吸引方向を反対にすることで、フィルタが内側容器の底板により支持されて、外側容器の底板で押さえ固定されるため、吸引方向がどちらの方向であっても、フィルタにかかる負荷を大幅に低減でき、フィルタの変形を抑制できる。これにより、粉塵の回収または廃棄は、粉塵捕集容器を反対方向から吸引して行うことができるので、捕集・測定・回収または廃棄の過程で粉塵の飛散を極力抑えることができる。
【００１８】
請求項２に記載の粉塵捕集システム（例えば、後述の粉塵捕集システム１）は、筒状でかつ一端側の開口が網で覆われた外側容器と、当該外側容器内に配置されたフィルタと、筒状でかつ両端側の開口が網で覆われて前記外側容器内に挿入される内側容器と、を備える粉塵捕集ユニット（例えば、後述の粉塵捕集ユニット２１Ａ、２１Ｂ）を用意し、直列に連結された複数の前記粉塵捕集ユニットと、当該連結された複数の粉塵捕集ユニットの先端面に接続されて、筒状でかつ一端側が前記外側容器の内部に挿入される押し込み容器と、当該連結された複数の粉塵捕集ユニットの基端面に接続されて、当該複数の粉塵捕集容器を通して空気を吸引する吸引装置（例えば、後述の吸引装置３０）と、を備え、前記複数の粉塵捕集容器のフィルタの目開きは、先端面に向かうほど大きくなることを特徴とする。
【００１９】
この発明によれば、各粉塵捕集ユニット毎に、異なる範囲の粒子径の粒子を捕集できる。つまり、複数の所定範囲の粒子径の粉塵を分級して捕集できる。また、分級した粉塵ごとに飛散させることなく回収できる。したがって、粉塵を安全に取り扱うことができ、さらに分級して回収した粉塵を他の試験などに再利用できる。
【００２０】
請求項３に記載の粉塵捕集システムは、平面上に設置されて前記粉塵捕集容器の当該平面に対する相対角度、および、前記粉塵捕集容器の先端面の当該平面からの距離を決定する位置決め装置（例えば、後述の位置決め装置１０）をさらに備えることを特徴とする。
【００２１】
吸引装置を直接床材に接触した状態で移動させながら吸引すると、吸引口の一部と対象物の間に隙間が生じて吸引条件が変化してしまう。
しかしながら、この発明によれば、位置決め装置により、粉塵捕集容器の平面に対する相対角度および粉塵捕集容器の先端面の平面からの距離を決定したので、複数の床材に対しても、一定の条件で吸引できる。
【００２２】
請求項４に記載の粉塵捕集方法は、平面上の粉塵を分級して捕集する粉塵捕集方法であって、捕集対象となる粉塵の近傍に請求項２または３に記載の粉塵捕集システムを設置する工程（例えば、後述のステップＳ１、Ｓ２）と、前記粉塵捕集システムの吸引装置を駆動して、前記平面上の粉塵を捕集する工程（例えば、後述のステップＳ３）と、前記粉塵捕集システムの各粉塵捕集容器毎に重量を測定する工程（例えば、後述のステップＳ４、Ｓ５）と、を備えることを特徴とする。
【発明の効果】
【００２３】
本発明によれば、強力に吸引しながら所定粒子径範囲の微細粉塵を捕集でき、目詰まりが生じた場合には簡易にフィルタ交換ができ、捕集・測定・回収または廃棄の過程で粉塵の飛散を極力抑えることができる、
【図面の簡単な説明】
【００２４】
【図１】本発明の第１実施形態に係る粉塵捕集システムの斜視図である。
【図２】前記実施形態に係る粉塵捕集システムの粉塵捕集容器の斜視図および分解斜視図である。
【図３】前記実施形態に係る粉塵捕集容器の断面図である。
【図４】前記実施形態に係る粉塵捕集システムを用いて粉塵を捕集する手順のフローチャートである。
【図５】前記実施形態に係る粉塵捕集システムを用いて粉塵を捕集する手順を説明するための図である。
【図６】前記実施形態に係る粉塵捕集システムから捕集した粉塵を回収する手順を説明するための図である。
【図７】本発明の第２実施形態に係る粉塵捕集容器の斜視図および分解斜視図である。
【図８】前記実施形態に係る粉塵捕集容器の断面図である。
【図９】本発明の第３実施形態に係る粉塵捕集容器の断面図である。
【図１０】本発明の第４実施形態に係る粉塵捕集容器の斜視図および分解斜視図である。
【図１１】前記実施形態に係る粉塵捕集容器の断面図である。
【図１２】本発明の第１の変形例に係る粉塵捕集容器の断面図である。
【図１３】本発明の第２の変形例に係る粉塵捕集容器の断面図である。
【図１４】本発明の第３の変形例に係る粉塵捕集容器の断面図である。
【図１５】本発明の第４の変形例に係る粉塵捕集容器の断面図である。
【図１６】本発明の第５の変形例に係る粉塵捕集容器の断面図である。
【図１７】本発明の第６の変形例に係る粉塵捕集容器の断面図である。
【発明を実施するための形態】
【００２５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る粉塵捕集システム１の斜視図である。
【００２６】
粉塵捕集システム１は、床面２上の捕集範囲Ｓの粉塵Ｐを捕集する。この粉塵捕集システム１は、床面２上に設置された位置決め装置１０と、この位置決め装置１０の上に設置された粉塵捕集容器２０と、この粉塵捕集容器２０の基端側に接続された吸引装置３０と、を備える。
この粉塵捕集システム１によれば、吸引装置３０を駆動して、粉塵捕集容器２０を通して、図１中矢印方向に空気とともに粉塵を吸引することで、粉塵を粉塵捕集容器２０に捕集する。
【００２７】
図２は、粉塵捕集容器２０の斜視図および分解斜視図である。図３は、粉塵捕集容器２０の断面図である。
吸引装置３０は、例えば掃除機である。この吸引装置３０は、筒状のホース３１を有し、このホース３１の先端には、接続手段としての雌ねじ部３２が形成されている。
【００２８】
粉塵捕集容器２０は、筒状でかつ一端側の開口に網４１が設けられた外側容器４０と、この外側容器４０内に配置されたフィルタ５０と、筒状でかつ両端側の開口に網６１、６２が設けられて外側容器４０内に配置される内側容器６０と、筒状でかつ一端側が外側容器４０の内部に挿入される押し込み容器７０と、を備える。
【００２９】
外側容器４０は、円筒状の容器本体４２と、この容器本体４２の一端側の開口を塞ぐ底板４３と、を備える。
容器本体４２の一端側の外周面には、接続手段としての雄ねじ部４４が刻設されている。
また、容器本体４２の他端側の内周面には、接続手段としての雌ねじ部４５が刻設されている。
底板４３には、上述の網４１が形成されており、この網４１は、フィルタ５０に比べてかなり粗い目となっている。
【００３０】
内側容器６０は、円筒状の容器本体６３と、この容器本体６３の一端側の開口を塞ぐ底板６４と、容器本体６３の他端側の開口を塞ぐ底板６５と、を備える。
内側容器６０の軸方向の長さは、外側容器４０に押し込み容器７０を螺合した場合に、押し込み容器７０の先端によって押し込まれ、フィルタ５０を固定できる程度とする。
【００３１】
底板６４には、上述の網６１が形成されており、この網６１の網目は、フィルタ５０の網目に比べて粗くなっている。また、この底板６４の外面の周縁部には、円環形状の溝６６が形成されており、この溝６６には、円環形状の弾性変形可能なＯリング６７が嵌め込まれている。
底板６５には、上述の網６２が形成されており、この網６２の網目は、フィルタ５０の網目に比べて粗くなっている。
【００３２】
フィルタ５０は、目の細かい金属製の円板状の網である。フィルタ５０の材質は特に限定されないが、超音波洗浄などで目詰まり状態から再生可能な金属製が望ましい。
【００３３】
押し込み容器７０は円筒状であり、この押し込み容器７０の一端縁７１は、押し込み手段となっている。
この押し込み容器７０の一端側および他端側の外周面には、接続手段としての雄ねじ部７２、７３が刻設されている。
【００３４】
この押し込み容器７０の一端側の雄ねじ部７２は、外側容器４０の雌ねじ部４５に螺合している。これにより、押し込み容器７０の一端縁７１で内側容器６０の底板６５が押圧されて、この内側容器６０のＯリング６７が外側容器４０の底板４３に強く押し付けられる。これにより、フィルタ５０の周縁部は、内側容器６０のＯリング６７と外側容器４０の底板４３とで強く挟持されるとともに、フィルタ５０の中央部は、内側容器６０の底板６４と外側容器４０の底板４３とで挟持される。
【００３５】
図１に戻って、この位置決め装置１０は、床面２の上に載置される基部１１と、この基部１１に対して所定角度で設けられた位置決め部１２とを備える。この位置決め部１２には、捕集範囲Ｓに通じる開口１３が形成されている。
位置決め装置１０では、粉塵捕集容器２０の先端面を位置決め部１２に当接させることで、粉塵捕集容器２０を開口１３に対して垂直に配置する。これにより、位置決め装置１０は、粉塵捕集容器２０の床面２に対する相対角度、および、粉塵捕集容器２０の先端面の床面２からの距離を決定する。
【００３６】
粉塵捕集容器２０にフィルタ５０を取り付ける手順は、以下の通りである。
まず、外側容器４０の網４１の内側表面の上にフィルタ５０を載せる。
次に、図３（ａ）に示すように、内側容器６０を外側容器４０の内部に挿入して、外側容器４０のＯリング６７と外側容器４０の底板４３とで、フィルタ５０の周縁部を軽く挟み込んで保持する。
【００３７】
次に、図３（ａ）中白抜き矢印で示すように、押し込み容器７０を外側容器４０に螺合することで、この押し込み容器７０を外側容器４０内に挿入し、押し込み容器７０で内側容器６０を押圧して、内側容器６０の底板６４およびＯリング６７と、外側容器４０の底板４３とで、フィルタ５０を挟持する。
【００３８】
一方、粉塵捕集容器２０からフィルタ５０を取り外す手順は、以下の通りである。
押し込み容器７０を外側容器４０から取り外し、次に、内側容器６０を外側容器４０から取り外す。
【００３９】
以下、粉塵捕集システム１を用いて粉塵を捕集する手順について、図４のフローチャートを参照しながら説明する。
図５（ａ）に示すように、タイルカーペットなどの床面２上の捕集範囲Ｓの粉塵Ｐを捕集するものとする。
そこで、まず、初期設定として、内側容器６０の網６１は、フィルタを支持して固定するためのものであり、目開きは捕集対象粉塵よりもはるかに大きくてよい。
また、網６２の目開きは、捕集対象となる粉塵Ｐの最大径に設定する。つまり、捕集対象となる粉塵Ｐの最大径は、網６２の目開きで規定される。
また、フィルタ５０の目開きを捕集対象となる粉塵Ｐの最小径に設定する。つまり、捕集対象となる粉塵Ｐの最小径は、フィルタ５０の目開きで規定される。
【００４０】
ステップＳ１では、図５（ｂ）に示すように、位置決め装置１０を床面２上にセットする。このとき、位置決め装置１０の開口１３が捕集範囲Ｓに通じるようにセットする。
ステップＳ２では、図５（ｂ）に示すように、粉塵捕集容器２０を位置決め装置１０の上にセットする。具体的には、吸引装置３０のホース３１の先端に粉塵捕集容器２０を取り付けて、この粉塵捕集容器２０の先端面を位置決め装置１０の位置決め部１２に当接させることで、粉塵捕集容器２０を開口１３に対して垂直に配置する。
【００４１】
ステップＳ３では、図５（ｂ）に示すように、吸引装置３０を駆動して、床面２上の粉塵を図５（ｂ）中矢印方向に吸引しながら、粉塵捕集容器２０を位置決め装置１０の開口１３に沿って図５（ｂ）中矢印Ａ方向に移動する。
ここで、図５（ｂ）中矢印方向に吸引力が作用すると、フィルタ５０は、外側容器４０の底板４３および網４１により支持されて、Ｏリング６７、内側容器６０の底板６４、および網６１で押さえ固定される。
【００４２】
これにより、所定範囲の粒子径の粉塵、つまり、粒子径がフィルタ５０よりも大きく内側容器６０の網６２の目開きよりも小さい粉塵が、内側容器６０の網６２とフィルタ５０との間の空間（内側容器６０の底をフィルタ５０で塞いで形成される内側容器内空間）内に捕集される。
【００４３】
ステップＳ４では、図５（ｃ）に示すように、粉塵が捕集された外側容器４０を取り外す。具体的には、粉塵捕集容器２０から押し込み容器７０を取り外す。すると、外側容器４０には、内側容器６０が挿入されて、この内側容器６０の網６１とフィルタ５０との間の空間には、粉塵Ｐが捕集された状態となっている。
【００４４】
ステップＳ５では、図５（ｄ）に示すように、捕集した粉塵の重量を測定する。具体的には、内側容器６０が挿入された外側容器４０の重量を重量測定装置９０で測定し、風袋引き（ゼロ点補正）して求める。これにより、粉塵Ｐの飛散を抑えつつ、粉塵重量を高精度に測定できる。
【００４５】
次に、粉塵捕集システム１から捕集した粉塵を回収する手順について、図６を参照しながら説明する。
まず、図６（ａ）に示すように、内側容器６０が挿入された外側容器４０に、押し込み容器７０を取り付けるとともに、この押し込み容器７０を吸引装置３０のホース３１に取り付ける。
次に、吸引装置３０を駆動する。すると、今度は、図６（ｂ）中矢印で示す方向つまり図５（ｂ）中矢印で示す吸引方向とは逆方向に吸引力が作用する。このとき、フィルタ５０は、内側容器６０の底板６４、網６１、およびＯリング６７により支持されて、外側容器４０の底板４３および網４１で押さえ固定される。
これにより、粉塵捕集容器２０に捕集された粉塵は、吸引装置３０に吸引されて回収される。
【００４６】
本実施形態によれば、以下のような効果がある。
（１）粉塵を捕集する場合には、フィルタ５０は、外側容器４０の底板４３および網４１により支持されて、Ｏリング６７、内側容器６０の底板６４、および網６１で押さえ固定される。また、粉塵を回収または廃棄する場合には、吸引方向を反対にすることで、フィルタ５０が内側容器６０の底板６４、網６１、およびＯリング６７により支持されて、外側容器４０の底板４３および網４１で押さえ固定される。よって、吸引方向がどちらの方向であっても、フィルタ５０にかかる負荷を大幅に低減でき、フィルタ５０の変形を抑制できる。強力に吸引しながらも、フィルタ５０の変形が抑制されるので、確実に粉塵を捕集できる。また、粉塵の回収または廃棄は、粉塵捕集容器２０を反対方向から吸引して行うことができるため、捕集・測定・回収または廃棄の過程で粉塵の飛散を極力抑えることができる。
【００４７】
（２）所定範囲の粒子径の粉塵、つまり、粒子径が内側容器６０の網６２の目開きよりも小さくフィルタ５０の目開きよりも大きい粉塵が、内側容器６０の網６２とフィルタ５０との間の空間（内側容器６０の底をフィルタ５０で塞いで形成される内側容器内空間）内に捕集される。したがって、強力に吸引しながら所定粒子径範囲の微細粉塵を捕集できる。
【００４８】
（３）フィルタ５０が目詰まりを起こした場合には、押し込み容器７０を、外側容器４０に接続したり、この外側容器４０から取り外したりするだけで、フィルタ５０を容易に着脱できる。よって、目詰まりが生じた場合には簡易にフィルタ５０を交換できる。
【００４９】
（４）粉塵を吸引する際に、位置決め装置１０により、粉塵捕集容器２０の床面２に対する相対角度および粉塵捕集容器の先端面の床面２からの距離を決定したので、粉塵捕集容器２０を移動しながら吸引する場合や粉塵捕集容器２０を固定して吸引する場合に、複数の床材に対しても一定の条件で吸引できる。
【００５０】
（５）外側容器４０の一端側の外周面に雄ねじ部４４を設け、押し込み容器７０の他端側の外周面に雄ねじ部７３を設けたので、粉塵捕集容器２０の両端側にホース３１を接続できる。よって、粉塵捕集容器２０をホース３１の途中に設けることができる（図１６参照）。また、粉塵を回収あるいは廃棄する場合には、これら雄ねじ部４４、７３に吸引装置３０のホース３１を接続することで、粉塵を捕集した状態からそのまま吸引することができ、粉塵を飛散させることなく回収あるいは廃棄できる。
【００５１】
〔第２実施形態〕
図７は、本発明の第２実施形態に係る粉塵捕集容器２０Ａの斜視図および分解斜視図である。図８は、粉塵捕集容器２０Ａの断面図である。
本実施形態では、粉塵捕集容器２０Ａが複数の外側容器４０およびフィルタ５０で構成される点が、第１実施形態と異なる。
【００５２】
すなわち、粉塵捕集容器２０Ａは、直列に連結された２つの粉塵捕集ユニット２１Ａ、２１Ｂと、粉塵捕集ユニット２１Ａの先端面に接続された押し込み容器７０と、を備える。以下、粉塵捕集ユニット２１Ａ、２１Ｂのうち、先端側（上流側）に位置するものを粉塵捕集ユニット２１Ａとし、基端側（下流側）に位置するものを粉塵捕集ユニット２１Ｂとする。
【００５３】
粉塵捕集ユニット２１Ａ、２１Ｂは、外側容器４０、フィルタ５０、および内側容器６０を備える。
上流側の粉塵捕集ユニット２１Ａの外側容器４０は、下流側の粉塵捕集ユニット２１Ｂの押し込み容器を兼用している。つまり、上流側の粉塵捕集ユニット２１Ａの外側容器４０の雄ねじ部４４は、下流側の粉塵捕集ユニット２１Ｂの外側容器４０の雌ねじ部４５に螺合されて、上流側の粉塵捕集ユニット２１Ａの外側容器４０の底板４３が、下流側の粉塵捕集ユニット２１Ｂの内側容器６０の底板６５を押圧することになる。
【００５４】
また、上流側の粉塵捕集ユニット２１Ａのフィルタ５０の目開きは、下流側の粉塵捕集ユニット２１Ｂのフィルタ５０の目開きよりも、大きくなっている。
【００５５】
本実施形態では、最先端に位置する粉塵捕集ユニット２１Ａ以外の粉塵捕集ユニット、ここでは、粉塵捕集ユニット２１Ｂについては、捕集粉塵の最大径が、内側容器６０の一端側の網６２の目開きで規定されるのではなく、上流側に位置する粉塵捕集ユニット２１Ａ内に配置されたフィルタ５０の目開きで規定される。
【００５６】
つまり、粉塵捕集ユニット２１Ａの捕集粉塵の粒子径は、内側容器６０の底板６５側の網６２の目開きよりも小さく、粉塵捕集ユニット２１Ａのフィルタ５０の目開きよりも大きい範囲となる。また、粉塵捕集ユニット２１Ｂの捕集粉塵の粒子径は、粉塵捕集ユニット２１Ａのフィルタ５０の目開きよりも小さく、粉塵捕集ユニット２１Ｂのフィルタ５０の目開きよりも大きい範囲となる。
ここで、粉塵捕集ユニット２１Ｂの底板６５側の網６２は、粉塵捕集ユニット２１Ａ、２１Ｂの網４１と同様に、フィルタを支持、固定するためのものであり、抵抗を小さくするために、この網６２の目開きは、捕集粉塵よりもはるかに大きくてもよい。
【００５７】
本実施形態によれば、上述の（１）〜（５）の効果に加えて、以下のような効果がある。
（６）上流側の粉塵捕集ユニット２１Ａでは、下流側の粉塵捕集ユニット２１Ｂよりも大きい粒子径の粒子を捕集できる。つまり、２つの所定範囲の粒子径の粉塵を分級して捕集できる。
また、分級した粉塵ごとに飛散させることなく回収できるので、粉塵を安全に取り扱うことができ、さらに分級して回収した粉塵を他の試験などに再利用できる。
【００５８】
〔第３実施形態〕
図９は、本発明の第３実施形態に係る粉塵捕集容器２０Ｂの断面図である。
本実施形態では、上流側の粉塵捕集ユニット２１Ａの外側容器４０の内径が、この外側容器４０が螺合される下流側の粉塵捕集ユニット２１Ｂの外側容器４０の内径よりも大きい点が、第２実施形態と異なる。
すなわち、下流側の外側容器４０の容器本体４２の他端側に、この容器本体４２から外方に突出しかつ上流側の外側容器４０の外径に等しい内径を有する円筒状の接続部４８を形成する。さらに、この接続部４８の内周面に雌ねじ部４５を形成する。
【００５９】
本実施形態によれば、上述の（１）〜（６）の効果に加えて、以下のような効果がある。
（７）上流側のフィルタ５０のサイズを、下流側のフィルタ５０のサイズよりも大きくできる。
また、上流側の内側容器６０の底をフィルタ５０で塞いで形成される内側容器内空間を、下流側の内側容器６０の網６２とフィルタ５０との間の空間（内側容器６０の底をフィルタ５０で塞いで形成される内側容器内空間）よりも広くできるので、例えば、大きな粒子径の粉塵量が多く、小さな粒子径の範囲の粉塵量が少ない場合には、粉塵量にあった捕集空間およびフィルタサイズに設定できる。
【００６０】
〔第４実施形態〕
図１０は、本発明の第４実施形態に係る粉塵捕集容器２０Ｃの斜視図および分解斜視図である。図１１は、粉塵捕集容器２０Ｃの断面図である。
粉塵捕集容器２０Ｃは、接続手段の構成が第１実施形態と異なる。
すなわち、本実施形態では、外側容器４０の容器本体４２の一端側および他端側には、接続手段としての円環板状のフランジ部４６、４７が形成されている。
また、押し込み容器７０の一端側および他端側には、接続手段としての円環板状のフランジ部７４、７５が形成されている。
また、吸引装置３０のホース３１の先端には、接続手段としてのフランジ部３３が形成されている。
【００６１】
吸引装置３０のホース３１の先端のフランジ部３３と、粉塵捕集容器２０Ｃの外側容器４０のフランジ部４６と、の間に円環板状のパッキン８０を挟んで、図示しないボルトおよびナットで固定する。
また、押し込み容器７０のフランジ部７４と、外側容器４０のフランジ部４７と、の間に、円環板状のパッキン８１を挟んで、ボルト８２およびナット８３で固定する。
【００６２】
本実施形態によれば、上述の（１）〜（７）の効果に加えて、以下のような効果がある。
（８）接続手段としてフランジ部４６、４７、７４、７５を設けたので、押し込み容器７０を回転させて外側容器４０にねじ込む必要がない。
【００６３】
なお、接続手段としてフランジ部４６、４７、７４、７５を用いる構造は、図１２に示すように、上述の第２実施形態にも適用できるし、図１３に示すように、上述の第３実施形態にも適用できる。
【００６４】
なお、本発明は前記実施形態に限定されるものではなく、本発明の目的を達成できる範囲での変形、改良等は本発明に含まれるものである。
【００６５】
例えば、上述の各実施形態では、外側容器４０、内側容器６０、押し込み容器７０の断面を円形状としたが、これに限らず、いかなる形状でもよい。例えば、第１〜３実施形態については、容器４０、６０、７０のうち、接続手段である雄ねじ部４４、７２、７３や雌ねじ部３２、４５以外の部分は、断面矩形状でもよい。また、上述の第４実施形態については、押し込み容器７０を回転させて外側容器４０にねじ込む必要がないため、接続手段も含めて容器４０、６０、７０全体を断面矩形状としてもよい。すなわち、矩形板状の角フランジとしてもよいし、互いに対向する位置にフランジを設けて二面フランジとしてもよい。これらのフランジを用いる場合には、それぞれの形状にあったパッキンを用いる。
【００６６】
また、上述の各実施形態では、内側容器６０の底板６４の外面の周縁部に溝６６を設けて、この溝６６にＯリング６７を嵌め込んだが、これに限らず、図１４に示すように、外側容器４０の底板４３の内面に溝４９を設けて、この溝４９にＯリング６７を嵌め込んでもよい。ここで、図１４は、第１実施形態において、外側容器４０にＯリング６７を設けた場合である。
【００６７】
また、上述の第１、４実施形態では、押し込み容器７０の一端縁７１を押し込み手段としたが、これに限らず、可能な限り吸引力の抵抗にならないような構造であればよい。例えば、図１５に示すように、押し込み容器７０の一端縁に内側に僅かに突出する一対の突出片７６を設け、これら一対の突出片７６を押し込み手段としてもよい。ここで、図１５（ａ）は、第１実施形態において、押し込み容器７０に突出片７６を設けた場合であり、図１５（ｂ）は、第４実施形態において、押し込み容器７０に突出片７６を設けた場合である。
【００６８】
また、上述の各実施形態では、吸引装置３０のホース３１の先端に粉塵捕集容器２０、２０Ａ、２０Ｂ、２０Ｃを接続したが、これに限らず、図１６（ａ）に示すように、ホース３１の途中に接続してもよい。ただし、粒径の小さい粉塵はホース３１の内壁面に吸着し、捕集粉塵量の誤差の原因となるため、粉塵捕集容器２０〜２０Ｃは極力、ホースの先端または先端に近いことが望ましい。
【００６９】
また、図１６（ｂ）に示すように、ホース３１の途中に粉塵捕集容器２０〜２０Ｃを設けて、ホース３１の先端に掃除機のヘッド３４を接続してもよい。この場合、吸引力に掃除機のヘッドの構造や機能を加味した捕集結果を得ることができる。つまり、タイルカーペットやカーペットなどの様々な掃除機による粉塵除去性能（掃除機の性能）を評価できる。
【００７０】
また、上述の各実施形態では、位置決め装置１０について、位置決め部１２を基部１１に対する相対角度を所定角度で固定したが、これに限らず、図１７（ａ）に示すように、位置決め部１２の基部１１に対する相対角度を調整可能としてもよい。具体的には、位置決め部１２を基部１１に対して回転可能に設ける。また、基部１１に支持部１４を設け、位置決め部１２を任意の相対角度に設定して、ねじ等で支持部１４に固定する。支持部１４には、図１７（ｂ）に示すように、位置決め部１２の基部１１に対する相対角度の目安として、所定角度例えば１０°毎にメモリを設けておく。
【００７１】
また、上述の各実施形態では、粉塵捕集容器２０の先端面を位置決め装置１０の位置決め部１２に当接させることで、粉塵捕集容器２０の床面２に対する相対角度、および、粉塵捕集容器２０の先端面の床面２からの距離を決定したが、これに限らず、粉塵捕集容器２０の外周面を位置決め部に当接させることで、粉塵捕集容器２０の床面２に対する相対角度、および、粉塵捕集容器２０の先端面の床面２からの距離を決定してもよい。
【符号の説明】
【００７２】
１…粉塵捕集システム
２…床面
１０…位置決め装置
１１…基部
１２…位置決め部
１３…開口
１４…支持部
２０、２０Ａ、２０Ｂ、２０Ｃ…粉塵捕集容器
２１Ａ、２１Ｂ…粉塵捕集ユニット
３０…吸引装置
３１…ホース
３２…雌ねじ部
３３…フランジ部
３４…ヘッド
４０…外側容器
４１…網
４２…容器本体
４３…底板
４４…雄ねじ部
４５…雌ねじ部
４６…一端側のフランジ部
４７…他端側のフランジ部
４８…接続部
４９…溝
５０…フィルタ
６０…内側容器
６１…網
６２…網
６３…容器本体
６４…底板
６５…底板
６６…溝
６７…Ｏリング
７０…押し込み容器
７１…押し込み容器の一端縁
７２…一端側の雄ねじ部
７３…他端側の雄ねじ部
７４…フランジ部
７５…フランジ部
７６…突出片
８０…パッキン
８１…パッキン
８２…ボルト
８３…ナット
９０…重量測定装置
【図１】
2015136674.tif 000003
【図２】
2015136674.tif 000004
【図３】
2015136674.tif 000005
【図４】
2015136674.tif 000006
【図５】
2015136674.tif 000007
【図６】
2015136674.tif 000008
【図７】
2015136674.tif 000009
【図８】
2015136674.tif 000010
【図９】
2015136674.tif 000011
【図１０】
2015136674.tif 000012
【図１１】
2015136674.tif 000013
【図１２】
2015136674.tif 000014
【図１３】
2015136674.tif 000015
【図１４】
2015136674.tif 000016
【図１５】
2015136674.tif 000017
【図１６】
2015136674.tif 000018
【図１７】
2015136674.tif 000019